(57)【要約】【課題】同時録画を行った録画番組の中で再生を行っている番組をより的確に表示することができる電子機器及び番組表表示方法を提供することを実現する。【解決手段】テレビジョン放送受信装置１００は、チューナ３と、ＨＤＤ１７と、録画再生制御部２２と、チャンネル切替制御部４０と、過去番組表生成部５０とを有している。過去番組表生成部５０は、第２の再生方法により再生を行う場合、第２の記録領域１７２に記録されたＴＳ４３からＥＰＧ情報を取得し、過去番組表４４を生成する。過去番組表４４中の再生位置にはフォーカス４５をあてる。第２の再生方法により、記録時刻順にチャンネルを連続して再生する場合、再生している番組欄上にフォーカス４５をあてる。また、チャンネル切替制御部４０により再生するチャンネルが切り替えられた場合にも、切り替えて再生している番組欄上にフォーカス４５をあてる。【選択図】  図４
2011071586.tif 000002
【特許請求の範囲】
【請求項１】
チャンネルごとに放送されている番組を受信する放送受信部と、
前記番組に対応するＥＰＧ情報を受信するＥＰＧ受信部と、
前記番組を前記ＥＰＧ情報と共に記録媒体に記録し、この記録媒体に記録した番組およびＥＰＧ情報の再生を行う記録再生制御部と、
前記記録再生制御部により再生されたＥＰＧ情報に基づいて、前記番組を記録時刻とチャンネルとを軸とする表として前記記録媒体に記録した番組についての番組表を生成する番組表生成部と、
を有し、
前記記録再生制御部は、
前記番組表の中から指定された番組から、前記指定されたチャンネル中に記録されている番組を記録時刻順に再生し、
前記番組表生成部は、
前記記録再生制御部が前記番組を再生しているときに前記記録媒体に記録した番組についての番組表を表示する指示を受信したとき、前記再生している番組にフォーカスをあてた番組表を生成することを特徴とする電子機器。
【請求項２】
前記記録再生制御部は、複数のチャンネルの番組を対応するＥＰＧ情報と共に記録媒体に記録し、
更に前記放送受信部で受信される複数のチャンネル間で受信した切替指示に従ったチャンネルに切り替えるチャンネル切替制御部とを備え、
前記番組表生成部は、前記チャンネル切替制御部によりチャンネルが切り替えられた後に前記番組表の表示するときには、切替先のチャンネルにて再生する番組に対応する欄にフォーカスをあてた番組表を生成することを特徴とする請求項１に記載の電子機器。
【請求項３】
前記番組表生成部は、前記放送受信部が受信している番組を視聴中に前記記録媒体に記録した番組についての番組表を表示する指示を受信した場合、記録時刻が最新の記録済みの番組から順に示す番組表を生成することを特徴とする請求項２に記載の電子機器。
【請求項４】
前記番組表生成部は、
前記放送受信部にて受信している番組を視聴中に前記記録媒体に記録した番組についての番組表を表示する指示を受信した場合、前記指示を受信する直前に視聴していたチャンネルが前記記録媒体に記録されているか否かを判別し、
前記指示を受信する直前に視聴していたチャンネルが前記記録媒体に記録されていると判別した場合、前記チャンネルの最新の記録済み番組の欄にフォーカスをあて、
前記指示を受信する直前に視聴していたチャンネルが前記記録媒体に記録されていないと判別した場合、前記記録時刻が最新の記録済みの番組であって、前記番組表の端に表示するチャンネルの欄に前記フォーカスをあてた番組表を生成することを特徴とする請求項３に記載の電子機器。
【請求項５】
前記番組表生成部は、前記記録再生制御部が前記最新の記録済み番組の一部を記録中である場合、前記最新の記録済み番組の欄の中で、記録中の部分を記録済みの部分と異なる色で表示することを特徴とする請求項４に記載の電子機器。
【請求項６】
更に、前記記録再生制御部により再生される番組を表示する表示装置を備えることを特徴とする請求項１乃至請求項５のいずれか１項に記載の電子機器。
【請求項７】
チャンネルの映像信号を受信し、
前記受信したチャンネルの番組を記録し、
前記チャンネルの番組に対応するＥＰＧ情報を受信し、
前記ＥＰＧ情報に基づいて、前記番組を、前記番組を記録時刻とチャンネルとを軸とする表として示す番組表を生成し、
前記番組表の中から指定された番組から、前記指定されたチャンネル中に記録されている番組を記録時刻順に再生し、
前記再生中に前記番組表を表示する指示を受信した場合、再生している番組に対応する番組の欄に、フォーカスをあてることを特徴とする番組表表示方法。
【発明の詳細な説明】
【技術分野】
【０００１】
本発明は電子機器及び番組表表示方法に関する。
【背景技術】
【０００２】
デジタル放送波には、映像データ及び音声データに加えて、サービス情報データが含まれている。デジタル放送波を受信する電子機器では、このサービス情報データに基づいて様々な機能を実現することが出来る。
【０００３】
例えば、サービス情報データに基づいて、放送番組に関する情報を記述した電子番組表を作成し、番組を表示している画面の一部に電子番組表を表示することができるデジタル放送受信装置が開示されている（例えば、特許文献１参照）。
【先行技術文献】
【特許文献】
【０００４】
【特許文献１】特開平１１−１１２８９９号公報
【発明の概要】
【発明が解決しようとする課題】
【０００５】
近年、ＨＤＤの記録容量の増大に伴い、同時に放送されている複数のデジタル放送波を複数のチューナによって受信し、チャンネルや時間帯等の条件を満たす番組を全て同時録画する機能を備えた電子機器が登場している。
【０００６】
上述の技術を用いて、この録画を行った番組に関するサービス情報データに基づき、電子番組表を作成することができる。しかし、複数の番組について同時録画を行った場合、記録時刻に沿った連続再生が行われる。即ち、ユーザが視聴する番組を番組表から新たに指定せずに再生する番組が変わることとなる。そこで、録画番組を連続して再生する場合にも、電子番組表上において再生中の番組を的確に示すことが要求される。
【０００７】
本発明は、上述した点に鑑みてなされたものであり、同時録画を行った録画番組の中で再生を行っている番組をより的確に表示することができる電子機器及び番組表表示方法を提供することを目的とする。
【課題を解決するための手段】
【０００８】
上記目的を達成するために、本発明に係る電子機器は、チャンネルごとに放送されている番組を受信する放送受信部と、前記番組に対応するＥＰＧ情報を受信するＥＰＧ受信部と、前記番組を前記ＥＰＧ情報と共に記録媒体に記録し、この記録媒体に記録した番組の再生を行う記録再生制御部と、前記記録媒体に記録したＥＰＧ情報に基づいて、前記番組を記録時刻とチャンネルとを軸とする表として前記記録媒体に記録した番組についての番組表を生成する番組表生成部と、を有し、前記記録再生制御部は、前記番組表の中から指定された番組から、前記指定されたチャンネル中に記録されている番組を記録時刻順に再生し、前記番組表生成部は、前記記録再生制御部にて前記番組を再生しているときに前記番組表を表示するときは、前記再生している番組にフォーカスをあてた番組表を生成することを特徴としている。
【０００９】
また、本発明に係るチャンネル切替方法は、チャンネルの映像信号を受信し、前記受信したチャンネルの番組を記録し、前記チャンネルの番組に対応するＥＰＧ情報を受信し、前記ＥＰＧ情報に基づいて、前記番組を、前記番組を記録時刻とチャンネルとを軸とする表として示す番組表を生成し、前記番組表の中から指定された番組から、前記指定されたチャンネル中に記録されている番組を記録時刻順に再生し、前記再生中に前記番組表を表示する指示を受信した場合、再生している番組に対応する番組の欄に、フォーカスをあてることを特徴としている。
【発明の効果】
【００１０】
本発明によれば、録画番組の再生中におけるチャンネル切替動作の操作性の向上を図った電子機器及び録画番組制御方法を提供することが実現する。
【図面の簡単な説明】
【００１１】
【図１】本実施の形態におけるテレビジョン放送受信装置の外観図。
【図２】本実施の形態におけるテレビジョン放送受信装置が備えるリモートコントローラの外観図。
【図３】本実施の形態におけるテレビジョン放送受信装置の機能ブロック図。
【図４】本実施の形態におけるＨＤＤの記録状態の概念図の一例を示す図。
【図５】本実施の形態における時刻情報テーブルの記録状態の概念図。
【図６】本実施の形態における過去番組表の一例を示す図。
【図７】本実施の形態における第２の再生方法による再生中のチャンネル切替を示す模式図。
【図８】本実施の形態におけるチャンネル切替制御部が実行する第２の再生方法による処理手順のフローチャートを示す図。
【図９】本実施の形態におけるチャンネル切替制御部が実行する第１の再生方法による処理手順のフローチャートを示す図。
【図１０】本実施の形態における過去番組表生成部が実行する第２の再生方法による再生開始時の過去番組表の表示手順のフローチャートを示す図。
【図１１】本実施の形態における過去番組表生成部が実行する第２の再生方法による再生中の過去番組表の表示手順のフローチャートを示す図。
【発明を実施するための形態】
【００１２】
以下、図１〜図１１を用いて、本発明の実施の形態について説明する。
本発明に係る電子機器として、テレビジョン放送受信装置１００を例に説明をする。
図１は、本実施の形態におけるテレビジョン放送受信装置１００の外観図である。尚、本実施の形態では、本発明に係る電子機器としてテレビジョン放送受信装置を例に説明するが、これに限定されることはない。即ち、放送受信装置、放送受信機能付き携帯電話、放送受信機能付きパーソナルコンピュータ、及び放送受信装置が搭載された映像記録装置等、放送受信装置を備えた機器であれば何でも良い。また、放送は空中を伝播してくる電波を受信するものに限らず、ケーブルやＩＰ（インターネット・プロトコル）網等のネットワークを介して放送局から配信される番組を受信可能な放送でも良い。
【００１３】
テレビジョン放送受信装置１００は、主として薄型のキャビネット１１０と、これを支持する支持台１２０とから構成されている。キャビネット１１０は、後述するチューナ３等の電子装置を格納する。また、キャビネット１１０の正面中央部に映像表示部１３０が配置され、両側面にはスピーカ１４０が配置されステレオ音声再生が行えるようになっている。映像表示部１３０は、例えばＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）表示パネル、ＬＣＤ（Ｌｉｑｕｉｄ  Ｃｒｙｓｔａｌ  Ｄｉｓｐｌａｙ）表示パネル等である。
【００１４】
キャビネット１１０の正面下部には、リモートコントローラ１５０から無線送信された操作信号を受信するための受信部２４が設けられる。また、テレビジョン放送受信装置１００のキャビネット１１０の側面には、電源スイッチ等の操作部２３が配置されている。テレビジョン放送受信装置１００は、図示しないプラグを介して外部から電力供給を受け、後述するアンテナ１を介して各種の放送波を受信して、この受信した放送波の信号を信号処理部１２でデコードすることにより映像信号、及び音声信号を出力する。映像表示部１３０はデコードされた映像信号を処理して映像を表示し、スピーカ１４０はデコードされた音声信号を処理して音声を出力する。
【００１５】
尚、本実施の形態においては、キャビネット１１０内にチューナ等の電子装置を格納するとしたが、これに限定されることはない。即ち、チューナ３等の電子装置をキャビネット１１０とは別の筐体に格納し、この筐体とテレビジョン放送受信装置１００とを接続して、テレビジョン放送受信装置１００に備えられる映像表示部１３０及びスピーカ１４０にて映像音声を出力するとしても良い。
【００１６】
次に、図２を用いてテレビジョン放送受信装置１００に設けられるリモートコントローラ１５０の構造について説明する。図２は、本実施の形態におけるテレビジョン放送受信装置が備えるリモートコントローラ１５０の外観図である。
【００１７】
リモートコントローラ１５０は、電源キー１５０ａと、放送切替キー１５０ｂと、ダイレクト選局キー１５０ｃと、音量調節キー１５０ｄと、チャンネルアップダウンキー１５０ｅと、フォーカスキー１５０ｆと、決定キー１５０ｇと、青、赤、緑、黄のカラーキー１５０ｈと、特殊再生キー１５０ｉと、画面表示キー１５０ｊ、タイムシフトキー１５０ｋと、番組表キー１５０ｌとを備え、構成されている。
【００１８】
電源キー１５０ａは、テレビジョン放送受信装置１００の電源のオン／オフの切り替えの指示をするためのキーである。放送切替キー１５０ｂは、テレビジョン放送受信装置１００にて表示する放送を地上波デジタル放送、ＢＳデジタル放送及びＣＳデジタル放送との間で切り替える指示をするためのキーである。ダイレクト選局キー１５０ｃは、それぞれのキーと対応するチャンネルをテレビジョン放送受信装置１００にて表示する指示をするためのキーである。音量調節キー１５０ｄは、スピーカ１４０から出力する音量を変更する指示をするためのキーである。
【００１９】
チャンネルアップダウンキー１５０ｅは、テレビジョン放送受信装置１００にて表示するチャンネルをチャンネル番号順に変更する指示をするためのキーである。フォーカスキー１５０ｆは、映像表示部１３０に表示されるフォーカス４５を移動させる指示をするためのキーである。決定キー１５０ｇは、フォーカスキー１５０ｆが位置する項目を選択する指示をするためのキーである。
【００２０】
カラーキー１５０ｈは、画面上に表示される各カラーキーに割りあてられた操作案内に対応した操作を指示するためのキーである。特殊再生キー１５０ｉは、早送り、巻き戻し、停止、再生、次番組スキップ、前番組スキップ等の特殊再生の指示をするためのキーである。画面表示キー１５０ｊは、録画番組中の再生位置を示すバナー等を表示するためのキーである。
【００２１】
タイムシフトキー１５０ｋは、後述する第２の録画方法により同時録画した番組を表示する過去番組表４４を表示させるためのキーである。タイムシフトキー１５０ｋを押下し過去番組表４４を表示させ、再生する番組を指定することで後述するタイムシフトモードに入る。番組表キー１５０ｌは、ＥＰＧ（Ｅｌｅｃｔｒｏｎｉｃ  Ｐｒｏｇｒａｍ  Ｇｕｉｄｅ）情報に基づいて現在から一週間先までの番組表を表示させるためのキーである。また、後述する第２の再生方法により再生を行っている場合に、過去番組表４４を表示させることができる。それぞれのキーが操作されると、指示の内容を示す操作信号が、受信部２４を介して図３に示す制御部１８に入力される。
【００２２】
図３は、本実施の形態におけるテレビジョン放送受信装置１００の機能ブロック図である。この図３を用いて、本実施の形態に係る過去番組表４４の表示を行うテレビジョン放送受信装置１００の機能について説明する。
【００２３】
テレビジョン放送受信装置１００は、アンテナ１と、入力端子２と、チューナ３と、ＴＳ（Ｔｒａｎｓｐｏｒｔ  Ｓｔｒｅａｍ）処理部１１と、信号処理部１２と、グラフィック処理部１３と、ＯＳＤ（Ｏｎ  Ｓｃｒｅｅｎ  Ｄｉｓｐｌａｙ）信号生成部１４と、音声処理部１５と、映像処理部１６と、ＨＤＤ（Ｈａｒｄ  Ｄｉｓｋ  Ｄｒｉｖｅ）１７と、制御部１８と、操作部２３と、受信部２４と、第１のカードＩ／Ｆ（Ｉｎｔｅｒｆａｃｅ）２５と、第１のカードホルダ２６と、第２のカードＩ／Ｆ２８と、第２のカードホルダ２９と、明るさセンサ３１と、通信Ｉ／Ｆ３２と、ＬＡＮ端子３３と、ＵＳＢ  Ｉ／Ｆ３４と、ＵＳＢ端子３５と、ｉ．ＬＩＮＫ  Ｉ／Ｆ３６と、ｉ．ＬＩＮＫ端子３７と、ＨＤＭＩ  Ｉ／Ｆ３８と、ＨＤＭＩ端子３９と、映像表示部１３０と、スピーカ１４０とを備える。
【００２４】
また、制御部１８は、ＲＯＭ（Ｒｅａｄ  Ｏｎｌｙ  Ｍｅｍｏｒｙ）１９と、ＲＡＭ（Ｒａｎｄｏｍ  Ａｃｃｅｓｓ  Ｍｅｍｏｒｙ）２０と、不揮発性メモリ２１と、録画再生制御部２２と、チャンネル切替制御部４０と、ＣＰＵ（Ｃｅｎｔｒａｌ  Ｐｒｏｃｅｓｓｉｎｇ  Ｕｎｉｔ）を備えている。
【００２５】
アンテナ１は、放送形式として地上波デジタル放送、ＢＳデジタル放送及びＣＳデジタル放送等を受信することができるように構成されたアンテナである。
入力端子２は、アンテナ１から受信した放送信号を複数のチューナ３に入力する。
チューナ３は、制御部１８からの制御信号により所望のチャンネルの放送信号を地上波デジタル放送、ＢＳデジタル放送及びＣＳデジタル放送の３種類の中から選局し、この選局された放送信号を復調（地上デジタル放送の場合にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調、ＢＳデジタル放送及びＣＳデジタル放送の場合にはＰＳＫ（Ｐｈａｓｅ  Ｓｈｉｆｔ  Ｋｅｙｉｎｇ）復調）し、所望の番組を含んだＴＳ（Ｔｒａｎｓｐｏｒｔ  Ｓｔｒｅａｍ）を得てＴＳ処理部１１に入力する。
【００２６】
チューナ３は、複数設けられ、受信する放送波に応じてチューナ３Ａ、３Ｂ、３Ｃと符号をつけ、特に区別する必要が無い場合にはこれらを単にチューナ３と称す。本明細書においては、チューナ３Ａを視聴用、チューナ３Ｂ及び３Ｃを録画用とする。チューナ３Ｂと３Ｃのそれぞれで選局した放送信号を用いた録画方法の違いについては後述する。
【００２７】
ＴＳ処理部１１は、選局されたチャンネルのＴＳがチューナ３から入力され、これら複数のＴＳを１つのＴＳに再多重して、信号処理部１２に出力する。
また、ＴＳ処理部１１は、録画を行う場合、チューナ３Ｂ及び３Ｃで選局された複数のＴＳがチューナ３から入力され、これら複数のＴＳを１つのＴＳに再多重して、信号処理部１２に出力する。
【００２８】
信号処理部１２は、ＴＳ処理部１１から出力された複数のチャンネルが多重されたＴＳに、適切なデジタル信号処理を施す。デジタル信号処理が施されたＴＳは、データ信号、映像信号及び音声信号に分離される。この分離された映像信号はグラフィック処理部１３に、音声信号は音声処理部１５に、データ信号はＯＳＤ信号生成部１４若しくは制御部１８に、それぞれ出力される。また、録画するためにＴＳ処理部１１によって再多重されたＴＳは、制御部１８に出力される。
【００２９】
このデータ信号には、放送された番組に関する各種の情報が含まれている。番組に関する情報として、時刻情報がある。日本の地上デジタル放送においては、社団法人電波産業会（ＡＲＩＢ）の標準規格であるＡＲＩＢ  ＳＴＤ−Ｂ１０で番組配列情報のテーブルとして、時刻日付テーブル（ＴＤＴ：Ｔｉｍｅ  ａｎｄ  Ｄａｔｅ  Ｔａｂｌｅ）と、サマータイム実施時のオフセット時間情報を含む時刻日付オフセットテーブル（ＴＯＴ：Ｔｉｍｅ  Ｏｆｆｓｅｔ  Ｔａｂｌｅ）とが定められており、これらのテーブルにより日本標準時（ＪＳＴ＝協定世界時（ＵＴＣ）＋９）と修正ユリウス日（ＭＪＤ）による現在日付と現在時刻とが伝送される。
【００３０】
本明細書においては、現在日付と現在時刻として、時刻日付オフセットテーブル（ＴＯＴ）を用いるものとする。日本の地上デジタル放送の運用規定を定めたＡＲＩＢ  ＴＲ−Ｂ１４では、時刻日付オフセットテーブル（ＴＯＴ）が送信されるデフォルト周期として、５秒が定められており、ＴＯＴは５秒に１回の周期で送信される。
【００３１】
また、データ信号に含まれる番組に関する情報としては、ＥＰＧ情報がある。このＥＰＧ情報には、チャンネル情報や、チャンネル番号や、番組名や、スケジュール等が含まれる。このＥＰＧ情報は、本実施の形態においては、現在から一週間先までの番組についての番組表と、録画した番組についての過去番組表４４とを生成するために用いられる。過去番組表４４は、過去番組表生成部５０により生成される。
【００３２】
グラフィック処理部１３は、信号処理部１２から出力されるデジタルの映像信号のデコード処理を行う。デコードされた映像信号は、ＯＳＤ信号生成部１４から出力されたＯＳＤ信号と重ね合わせて合成され、映像処理部１６に出力される。グラフィック処理部１３は、デコードされた映像信号又はＯＳＤ信号を、映像処理部１６に選択的に出力することもできる。
【００３３】
ＯＳＤ信号生成部１４は、制御部１８の制御に従って、ＵＩ（ユーザ・インタフェース）画面などを表示するためのＯＳＤ信号を生成する。また上述の信号処理部１２において、デジタル放送信号から分離されたデータ信号は、ＯＳＤ信号生成部１４により適切なフォーマットのＯＳＤ信号に変換され、グラフィック処理部１３に出力される。
【００３４】
音声処理部１５は、信号処理部１２から入力された音声信号を、スピーカ１４０で再生可能なフォーマットのアナログ音声信号に変換する。アナログに変換された音声信号は、スピーカ１４０に出力されて再生される。
【００３５】
映像処理部１６は、グラフィック処理部１３から出力された信号を、映像表示部１３０で表示可能なフォーマットのアナログ映像信号に変換する。アナログに変換された映像信号は、映像表示部１３０に出力される。
【００３６】
ＨＤＤ１７は、録画再生制御部２２による制御に基づいて、チャンネルごとのＴＳを格納する。ＨＤＤ１７の記録状態については図４を用いて後述する。
制御部１８は、操作部２３から入力される操作信号や、リモートコントローラ１５０から送信され受信部２４を介して受信される操作信号に応じて、ＲＯＭ１９に予め記録されたシステム制御プログラム及び各種処理プログラムを起動させる。制御部１８は、起動したプログラムに従って、ＲＡＭ２０をワークメモリとして装置各部の動作を制御する。
【００３７】
ＲＯＭ１９は、ＣＰＵが実行するシステム制御プログラム及び各種処理プログラムを格納するメモリである。
ＲＡＭ２０は、ＣＰＵが各種プログラムを展開するための、いわゆるワーキングメモリである。
不揮発性メモリ２１は、各部の動作制御に必要な各種の設定情報及び制御情報等を格納する。本実施の形態においては、録画番組を再生する直前に視聴していた放送のチャンネル情報を格納しているとする。
【００３８】
録画再生制御部２２は、テレビジョン放送受信装置１００の録画及び録画した番組を再生する機能の制御を行う。即ち、録画再生制御部２２は、ＴＳ処理部１１から出力された複数チャンネルが多重されているＴＳをチャンネルごとのＴＳに戻し、ＨＤＤ１７に記録する。
【００３９】
また、録画再生制御部２２は、録画したデータの再生する制御を実行し、ＨＤＤ１７に格納したチャンネルごとのＴＳを読み出して再生させた後、映像表示部１３０に表示させたり、スピーカ１４０から音声出力させたりすることができる。ＬＡＮ対応ＨＤＤ専用ポートとしてのＬＡＮ端子３３を設けることにより、他のネットワーク環境やネットワーク使用状況等に影響されることなく、ＨＤＤ１７に対してハイビジョン画質による番組の情報記録を安定して行うことが可能となる。
【００４０】
本実施の形態において、テレビジョン放送受信装置１００は、２種類の録画方法を備えている。ここで第１の録画方法は、録画対象とする番組を個々に指定する若しくは任意の時間に録画の開始終了を指定する録画方法のことをいう。即ち、第１の録画方法においては、指定した番組を放送している１つの放送波を受信し、ＨＤＤ１７に記録する。この方法は、従来の個々に録画する番組を指定するＨＤＤレコーダ等と同じ録画方法である。第１の録画方法に用いる放送波を受信するチューナを、チューナ３Ｂとする。
【００４１】
第２の録画方法は、個々の番組を指定するのではなく、チャンネル、時間、曜日等の条件を指定し、条件を満たす全ての番組を録画するものである。即ち、条件に該当する複数の放送波を受信し、これらを並行してチャンネルごとにＨＤＤ１７に記録する。第２の録画方法に用いる放送波を受信するチューナを、チューナ３Ｃとする。
【００４２】
図４は、本実施の形態におけるＨＤＤ１７の記録状態の概念図の一例を示す図である。以上の２種類の録画方法により録画される番組の記録状態について、図４を用いて説明する。
【００４３】
録画再生制御部２２は、ＨＤＤ１７を第１の記録領域１７１と、第２の記録領域１７２とに区画して記録を行う。第１の記録領域１７１には、第１の録画方法により録画された番組のＴＳ、第２の記録領域１７２には、チャンネルごとに作成された時刻情報テーブル４２と第２の録画方法により録画されたチャンネルごとのＴＳ４３とを格納する。
【００４４】
第１の記録領域１７１には、ユーザが個々に番組を指定することで録画した番組ａ〜ｅのＴＳが格納されている。これらの番組ａ〜ｅのそれぞれのＴＳには、各番組についてチャンネル情報や番組名等の番組情報が共に格納されている。
【００４５】
図５は、本実施の形態における時刻情報テーブル４２の記録状態の概念図である。時刻情報テーブル４２Ａ〜Ｃは、それぞれチャンネル１〜３に対応している。それぞれの時刻情報テーブル４２には、チャンネル情報、番組情報、時刻情報、アドレスとを対応付けて記録している。この時刻情報テーブル４２は、例えば、ＭＰＥＧ（Ｍｏｖｉｎｇ  Ｐｉｃｔｕｒｅ  Ｅｘｐｅｒｔｓ  Ｇｒｏｕｐ）２の放送のＧＯＰ（Ｇｒｏｕｐ  ｏｆ  Ｐｉｃｔｕｒｅ）間隔と同様に、０．５秒ごとに作成するものとする。また、アドレスとは、論理アドレス若しくは物理アドレスとする。
【００４６】
また、第２の記録領域１７２には、チャンネル１〜３において時間帯や曜日等の条件を指定することで録画した番組Ａ〜ＰがチャンネルごとにＴＳ４３として格納されている。第２の記録領域１７２の記録容量が限界に達した場合、記録時刻が古いものから順次消去しながら録画を続けていくものとする。これに伴い、時刻情報テーブル４２も記録時刻の古いものから順次消去され、新たに録画した番組のものが作成され格納されていく。
【００４７】
この時刻情報テーブル４２は、第２の記録領域１７２に記録すると限られるものでは無い。即ち、不揮発性メモリ２１でも良いし、各種のインターフェースを介して接続される記録媒体に記録するとしても良い。
【００４８】
また、本実施の形態において、テレビジョン放送受信装置１００は、録画した番組を再生する方法として２種類の再生方法を備えている。
まず、第１の再生方法として第１の記録領域１７１に格納した番組の中から、選択された１つの番組のみを再生する方法である。即ち、第１の記録領域１７１に格納している番組ａ〜ｅまでをリスト表示し、このリストに基づいて選択された１つの番組を再生する場合を第１の再生方法とする。
【００４９】
第２の再生方法として、第２の記録領域１７２に格納した複数のチャンネルのＴＳを、チャンネル切替可能且つ録画時刻に沿って順に連続して再生する方法である。即ち、第２の記録領域１７２に格納しているチャンネル１〜３のＴＳ４３ａ〜ｃの何れかを再生中にチャンネルを切り替えると、再生していたチャンネルの時刻と略同時刻に記録されている時点からチャンネル切替先のチャンネルが第２の記録領域１７２から再生されて表示される。従って、過去に遡ってリアルタイムで放送を視聴しているように、チャンネルを切り替えて番組を視聴することが可能になる。
【００５０】
略同時刻とは、再生していた位置の録画時刻の前後１０秒前後を指す。ＴＳ４３を再生し始めてから、映像表示部１３０に映像を表示するまでに数秒要するため、同じ録画時刻に記録されている位置に遷移すると、実際に表示されるのは数秒遅れた映像からになる虞がある。そこで、チャンネル切替動作を行った時点で再生しているＴＳ４３の時刻情報と比べて、数秒前に記録されている位置に遷移するとしても良い。数秒前のＴＳ４３の位置に遷移することで、チャンネル切替動作以前に視聴していたチャンネルの録画時刻と同じ時刻に録画されている映像が実際に表示されることになる。
【００５１】
また、チャンネル切替動作を行った時点で再生しているＴＳ４３の時刻情報と比べて、数秒後に記録されている位置に遷移するとしても良い。数秒後のＴＳ４３の位置に遷移することで、過去に遡ってリアルタイムで放送を視聴している際にチャンネルを切り替えた場合の動作を再現することができる。
【００５２】
第２の再生方法は、タイムシフトキー１５０ｋを押下することで、図６に示すような過去番組表４４の中から番組を指定した場合に実行される。即ち、第２の再生方法をタイムシフトモードという。即ち、過去番組表４４のように示す第２の録画方法により録画された番組Ａ〜Ｐの中から、再生する番組を選択することで第２の再生方法による再生が実行される。この第２の再生方法であるタイムシフトモードによれば、選択した録画番組から録画時刻に沿って順に連続して録画番組の再生が行われる。
【００５３】
また、第２の再生方法により再生を行っている場合に、番組表キー１５０ｌを押下して表示させる過去番組表４４の中から、所望の番組を指定することで、再生を行う番組を切り替えることができる。
【００５４】
図６は、本実施の形態における過去番組表４４の一例を示す図である。図６に示すように過去番組表４４は、フォーカス４５と、テーブル４６と、録画時刻表示４７と、チャンネル表示４８と、再生時刻表示４９とから構成される。
【００５５】
フォーカス４５は、フォーカスキー１５０ｆによる操作に応じてテーブル４６上を移動する。フォーカス４５は、番組を選択していることを示すために、番組欄の枠や、番組欄内の色を他の欄と異なるようにするものである。
【００５６】
第２の再生方法による再生を開始する直前に視聴していたチャンネルが第２の録画方法により録画されている場合には、視聴していたチャンネルの最新の録画番組の位置にフォーカス４５をあてる。第２の再生方法による再生を開始する直前に視聴していたチャンネルが第２の録画方法により録画されていない場合には、第２の録画方法において録画されているチャンネルの内でチャンネル番号が最も小さいチャンネルの最新の録画番組の位置にフォーカス４５をあてる。
【００５７】
また、第２の再生方法により再生を行っている場合に、番組表キー１５０ｌを押下して表示させる過去番組表４４の中から、所望の番組を指定することで、再生を行う番組を切り替えることができる。
【００５８】
第２の再生方法により再生を行っている場合に、番組表キー１５０ｌを押下し、過去番組表４４を表示する場合、番組表キー１５０ｌを押下した時点で再生している録画番組の位置にフォーカス４５をあてる。
【００５９】
テーブル４６は、縦軸を録画時刻表示４７、横軸をチャンネル表示４８とし、録画済みの番組を表示するテーブルである。テーブル４６の各セルには、ＥＰＧ情報に基づいて、チャンネル情報及び時刻情報から決定される番組情報が表示される。
【００６０】
録画時刻表示４７は、第２の録画方法で録画済みの録画番組の内、最新の録画済み番組の録画時刻から遡り最長で６時間分のテーブルを表示する。録画時刻が６時間に満たない場合には、録画を行っている分のみを表示する。
【００６１】
チャンネル表示４８は、第２の記録領域１７２に格納しているＴＳ４３のチャンネルを表示する。
再生時刻表示４９は、第２の再生方法により再生を行っている番組を録画したときの録画時刻を表示する。
テーブル４６中でフォーカスキー１５０ｆによる操作によりフォーカス４５を移動させ、フォーカス４５を所望の番組にあてた状態で決定キー１５０ｇを押下すると、このフォーカス４５をあてた番組の再生を録画再生制御部２２が実行する。図６に示した例では、番組Ｃにフォーカス４５をあてた状態で決定キー１５０ｇを押下すると、まず録画再生制御部２２は番組Ｃを再生し、番組Ｃの再生が終了すると続けて番組Ｄを再生する。
【００６２】
尚、タイムシフトキー１５０ｋを押下した時点で、第２の録画方法による録画を行っている場合には、この録画中の番組がテーブル４６の最下行に表示される。また、録画中の番組のセル中の録画中の部分を、テーブル４６上の他の部分と異なる表示とする。
【００６３】
操作部２３は、ユーザによる操作に応じた操作信号を受け付け、制御部１８に入力する。
受信部２４は、ユーザによるリモートコントローラ１５０の操作に応じた操作信号を受け付け、制御部１８に入力する。
第１のカードホルダ２６は、第１のカードＩ／Ｆ２５を介して制御部１８に接続されている。第１のカード２７は、この第１のカードＩ／Ｆ２５に装着可能である。第１のカード２７は、例えばＳＤ（Ｓｅｃｕｒｅ  Ｄｉｇｉｔａｌ）メモリーカード、ＭＭＣ（Ｍｕｌｔｉｍｅｄｉａ  Ｃａｒｄ）及びＣＦ（Ｃｏｍｐａｃｔ  Ｆｌａｓｈ）（登録商標）カード等の記録媒体である。第１のカードホルダ２６に装着された第１のカード２７と、制御部１８は、第１のカードＩ／Ｆ２５を介して情報の伝達を行うことができる。制御部１８は、第１のカード２７に、画像や音楽、放送番組等のデータを格納することができる。また制御部１８は、第１のカード２７に格納された画像や音楽、放送番組等のデータを読み出し、音声処理部１５及び映像処理部１６等でデコード処理がされることにより、映像表示部１３０に表示させたり、スピーカ１４０から音声出力させたりすることができる。
【００６４】
第２のカードホルダ２９は、第２のカードＩ／Ｆ２８を介して制御部１８に接続されている。第２のカード３０は、この第２のカードＩ／Ｆ２８に装着可能である。第２のカード３０は、例えば放送受信契約の契約情報等を記録する記録媒体である。第２のカードホルダ２９に装着された第２のカード３０と制御部１８は、第２のカードＩ／Ｆ２８を介して情報の伝達を行うことができる。
【００６５】
明るさセンサ３１は、キャビネット１１０の前面に配置され、テレビジョン放送受信装置１００が配置されている周囲の明るさを検出し、この検出結果を制御部１８に入力する。制御部１８は、入力された明るさに関する検出結果に基づいて、映像表示部１３０の輝度を制御する。
【００６６】
ＬＡＮ（Ｌｏｃａｌ  Ａｒｅａ  Ｎｅｔｗｏｒｋ）端子３３は、通信Ｉ／Ｆ３２を介して制御部１８に接続されている。ＬＡＮ端子３３は、イーサネット（登録商標）を用いたＬＡＮ対応ＨＤＤ専用ポートとして使用される。ＬＡＮ端子３３にＬＡＮ対応のＨＤＤがＮＡＳ（Ｎｅｔｗｏｒｋ  Ａｔｔａｃｈｅｄ  Ｓｔｏｒａｇｅ）として接続された場合、ＨＤＤ１７及び制御部１８は、通信Ｉ／Ｆ３２を介して、情報の伝達を行うことができる。この場合、制御部１８は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能し、ＬＡＮ端子３３に接続された当該ＬＡＮ対応のＨＤＤにＩＰ（Ｉｎｔｅｒｎｅｔ  Ｐｒｏｔｏｃｏｌ）アドレスを割り当てて制御している。
【００６７】
通信Ｉ／Ｆ３２を介して制御部１８に接続されるＨＤＤ、ＰＣ、ＤＶＤレコーダ等の機器には、ハードディスクやＤＶＤ（光ディスク）等の記録媒体を装着することが可能である。制御部１８は、当該記録媒体に、ハブ及び当該ハブに接続される機器を介して画像や音楽、放送番組等のデータを格納することができる。また制御部１８は、当該記録媒体に格納された画像や音楽、放送番組等のデータを読み出し再生して、映像表示部１３０に表示させたり、スピーカ１４０から音声出力させたりすることができる。
【００６８】
ＵＳＢ（Ｕｎｉｖｅｒｓａｌ  Ｓｅｒｉａｌ  Ｂｕｓ）端子３５は、ＵＳＢ  Ｉ／Ｆ３４を介して制御部１８に接続されている。ＵＳＢ端子３５は、一般的なＵＳＢ対応ポートとして使用される。ＵＳＢ端子３５には、例えばハブを介して、携帯電話、デジタルカメラ、各種メモリーカードに対するカードリーダ／ライタ、ＨＤＤ、キーボード等が接続される。制御部１８は、ＵＳＢ端子３５及びＵＳＢ  Ｉ／Ｆ３４を介して接続される機器との間で、情報の伝達を行うことができる。
【００６９】
ｉ．ＬＩＮＫ端子３７は、ｉ．ＬＩＮＫ  Ｉ／Ｆ３６を介して制御部１８に接続されている。ｉ．ＬＩＮＫ端子３７には、例えばＡＶ−ＨＤＤ、Ｄ（Ｄｉｇｉｔａｌ）−ＶＨＳ（Ｖｉｄｅｏ  Ｈｏｍｅ  Ｓｙｓｔｅｍ）等がシリアル接続される。制御部１８は、ｉ．ＬＩＮＫ端子３７及びｉ．ＬＩＮＫ  Ｉ／Ｆ３６を介して接続される機器との間で、情報の伝達を行うことができる。
【００７０】
ＨＤＭＩ端子３９は、ＨＤＭＩ  Ｉ／Ｆ３８を介して制御部１８に接続されている。ＨＤＭＩ端子３９には、例えばパーソナルコンピュータや液晶ディスプレイやＡＶアンプ等に接続される。制御部１８は、ＨＤＭＩ端子３９及びＨＤＭＩ  Ｉ／Ｆ３８を介して接続される機器との間で、情報の伝達を行うことができる。
【００７１】
チャンネル切替制御部４０は、第１及び第２の再生方法の内の何れかによる再生中に、チャンネルの切替動作の制御を行う。チャンネルの切替動作は、ダイレクト選局キー１５０ｃとチャンネルアップダウンキー１５０ｅの何れかにより指示される。本実施の形態において、チャンネル切替動作は、再生方法により異なる。
【００７２】
まず、第１の再生方法により再生している場合には、現在放送中の番組に遷移する。即ち、番組を指定して再生している場合、この再生中の番組と同じ時刻に他のチャンネルを録画しているとは限らない。従って、録画番組間でチャンネル切替を行わず、現在放送中の番組に切り替える。
【００７３】
第２の再生方法により再生している場合には、同じ時刻に録画されている他のチャンネルの番組に遷移する。再生時刻を基準として、他の録画チャンネルに切り替えることで、過去に遡ってリアルタイムで放送を視聴しているように、チャンネルを切り替えて番組を視聴することが可能になる。尚、同時刻に他のチャンネルが録画されていない場合には、指示されたチャンネルに遷移できない旨のワーニング表示を行う。
【００７４】
次に、各再生方法における、リモートコントローラ１５０のダイレクト選局キー１５０ｃ及びチャンネルアップダウンキー１５０ｅの操作によるチャンネル切替動作について説明する。
【００７５】
まず、第１の再生方法により選択された所望の番組を視聴している場合に、ダイレクト選局キー１５０ｃによりチャンネル切替が指示された場合について説明する。第１の再生方法により選択された所望の番組を再生している場合に、ダイレクト選局キー１５０ｃが押下されると、チャンネル切替制御部４０は、ダイレクト選局キー１５０ｃにより指定されるチャンネルの現在放送中の番組に遷移する。
【００７６】
次に、第１の再生方法により選択された所望の番組を視聴している場合に、チャンネルアップダウンキー１５０ｅによりチャンネル切替が指示された場合について説明する。第１の再生方法により選択された所望の番組を再生している場合に、チャンネルアップダウンキー１５０ｅが押下されると、チャンネル切替制御部４０は不揮発性メモリ２１から録画番組を再生する直前に視聴していたチャンネル情報を取得し、このチャンネル情報に基づくチャンネルの現在放送中の番組に遷移する。又は、録画番組を再生する直前に視聴していたチャンネルの前後のチャンネルの現在放送中の番組に遷移するとしても良い。
【００７７】
図７は、本実施の形態における第２の再生方法による再生中のチャンネル切替を示す模式図である。図７を用いて、第２の再生方法により再生を行っている場合のチャンネル切替動作について説明する。以下の説明においては、再生している時刻と同時刻に録画されている切替先のチャンネルのＴＳ４３の位置に遷移する場合を説明するが、略同時刻に録画されている位置としても良い。
【００７８】
図７は、第２の記録領域１７２に格納した録画番組を、縦軸を時間軸としてチャンネルごとに示している。チャンネル１（ＣＨ１）、チャンネル２（ＣＨ２）、チャンネル３（ＣＨ３）において、ＰＭ４時からＰＭ１０時までに放送された番組を録画していることが示されている。例えば、チャンネル１では、ＰＭ４時からＰＭ５時までは番組Ａ、ＰＭ５時からＰＭ６時までは番組Ｂ、ＰＭ６時からＰＭ７時までは番組Ｃ、ＰＭ７時からＰＭ８時までは番組Ｄ、ＰＭ８時からＰＭ１０時までは番組Ｅを録画している。
【００７９】
まず、第２の再生方法による再生中に、ダイレクト選局キー１５０ｃによるチャンネル切替が指示された場合について説明する。第２の再生方法によりあるチャンネルで放送された番組を再生している場合にダイレクト選局キー１５０ｃが押下されると、チャンネル切替制御部４０は押下されたダイレクト選局キー１５０ｃに対応するチャンネルのＴＳ４３を読出し再生する。
【００８０】
例えば、チャンネル１の番組Ｃを再生している際に、ダイレクト選局キー１５０ｃのチャンネル２を押下する。すると、この時点で再生しているＴＳ４３Ａのアドレスを時刻情報テーブル４２Ａから読み出し、このアドレスに対応する時刻情報を取得する。取得した時刻情報に基づいてチャンネル２の時刻情報テーブル４２Ｂから同じ時刻に録画されているＴＳ４３Ｂのアドレスを取得し、このアドレスの位置からＴＳ４３Ｂの読み込みを開始する。
【００８１】
例えば、チャンネル１の再生中に１８時３０分０１．０秒の時点でダイレクト選局キー１５０ｃのチャンネル２に割り当てられているキーを押下する。すると、チャンネル切替制御部４０は、時刻情報テーブル４２Ｂ中から時刻情報が１８時３０分０１．０秒として記録されている時点を探索する。チャンネル２においては、１８時３０分０１．０秒に記録されている番組は番組Ｈであり、対応付けて記録されているアドレスからＴＳ４３Ｂを読み込む。このようにして、ダイレクト選局キー１５０ｃを押下することによるチャンネル１からチャンネル２への切替動作が完了する。
【００８２】
次に、第２の再生方法による再生中に、チャンネルアップダウンキー１５０ｅによるチャンネル切替が指示された場合について説明する。第２の再生方法によりあるチャンネルで放送された番組を再生している場合にチャンネルアップダウンキー１５０ｅが押下されると、チャンネル切替制御部４０は押下されたチャンネルアップダウンキー１５０ｅに対応するチャンネルのＴＳ４３を読出し再生する。本実施の形態においては、チャンネル１、２、３が第２の録画方法により同時録画されている。チャンネルアップダウンキー１５０ｅにおいては、チャンネル番号順にチャンネルがアップ又はダウン方向に切り替わる。
【００８３】
例えば、チャンネル１の番組Ｃを再生している際に、チャンネルアップダウンキー１５０ｅのアップキーを押下する。すると、この時点で再生しているＴＳ４３Ａのアドレスを時刻情報テーブル４２Ａから読み出し、このアドレスに対応する時刻情報を取得する。チャンネル１よりも１つチャンネル番号の大きいチャンネル２の時刻情報テーブル４２Ｂから、この時刻情報と同じ時刻に対応づけられているアドレスを取得する。取得したアドレスからＴＳ４３Ｂを読み込むことでチャンネル１からチャンネル２へのチャンネルの切替動作が完了する。
【００８４】
チャンネル１からチャンネル３までの３チャンネルが記録されている場合、チャンネル２に切り替えた時点で再度アップキーを押下する場合はチャンネル２からチャンネル３に切り替わる。チャンネル３に切り替えた時点で再度アップキーを押下すると、チャンネル１に切り替わるというように、チャンネルの番号順に循環する。また、チャンネル１を再生している際に、ダウンキーを押下する場合はチャンネル３に切り替わる。即ち、アップキーとは逆に循環する。
【００８５】
以上のように、第２の再生方法においては、同時刻に放送されたチャンネルごとに時刻情報とアドレスを対応付けた時刻情報テーブル４２を参照することで、チャンネル切替が実行される。
【００８６】
尚、切り替えたチャンネルにおいて録画されている番組を番組開始時点から視聴したい場合には、特殊再生キー１５０ｉの前番組スキップキーを押下することで、番組の頭出しが可能である。
【００８７】
図８は、本実施の形態におけるチャンネル切替制御部４０が実行する第２の再生方法による処理手順のフローチャートを示す図である。この図８を用いて、第２の再生方法による再生中におけるチャンネル切替が行われるまでの処理手順について説明する。
【００８８】
まず、録画再生制御部２２は、第２の記録領域１７２から、過去番組表４４で選択された番組のチャンネル及び開始時刻に対応するアドレスを探索し、再生開始位置を取得する（ステップＳ１１）。次に、この取得した再生開始位置のＴＳ４３を第２の記録領域１７２から読み出す（ステップＳ１２）。録画再生制御部２２は、読み出したＴＳ４３を再生して音声処理部１５及び映像処理部１６に送出することで番組を再生する（ステップＳ１３）。
【００８９】
次に、チャンネル切替制御部４０は、チャンネルアップダウンキー１５０ｅからの指示を受信したか否かを判別する（ステップＳ１４）。ステップＳ１４で判別した結果、チャンネルアップダウンキー１５０ｅからの指示を受信したと判別した場合（ステップＳ１４のＹｅｓ）、チャンネル切替制御部４０はアップキーからの指示であるか否かを判別する（ステップＳ１５）。
【００９０】
ステップＳ１５で判別した結果、アップキーからの指示であると判別した場合（ステップＳ１５のＹｅｓ）、現在再生しているチャンネルのチャンネル番号よりも番号が大きいチャンネル（次チャンネル）の再生開始位置を取得する（ステップＳ１６）。即ち、第２の録画方法により同時録画しているチャンネルの内で、現在再生しているチャンネルよりも番号が大きいチャンネル中から同時刻に記録されている時刻情報を探索し、この時刻情報に対応するアドレスを取得して再生開始位置を取得する。そして、ステップＳ１２に戻り、この取得した再生位置からＴＳ４３を読み出すことで、チャンネルの切替が実行される。
【００９１】
一方、アップキーからの指示でないと判別した場合（ステップＳ１５のＮｏ）、現在再生しているチャンネルのチャンネル番号よりも番号の小さいチャンネル（前チャンネル）の再生開始位置を取得する（ステップＳ１７）。即ち、第２の録画方法により同時録画しているチャンネルの内で、現在再生しているチャンネルよりも番号が小さいチャンネル中から同時刻に記録されている時刻情報を探索し、この時刻情報に対応するアドレスを取得して再生開始位置を取得する。そして、ステップＳ１２に戻り、この取得した再生位置から指示されたチャンネルのＴＳ４３を読み出し再生することで、チャンネルの切替が実行される。
【００９２】
ステップＳ１４で判別した結果、チャンネルアップダウンキー１５０ｅからの指示を受信していないと判別した場合（ステップＳ１４のＮｏ）、チャンネル切替制御部４０はダイレクト選局キー１５０ｃからの指示を受信したか否かを判別する（ステップＳ１８）。ステップＳ１８で判別した結果、ダイレクト選局キー１５０ｃからの指示を受信していないと判別した場合（ステップＳ１８のＮｏ）、この処理手順を終了する。一方、ダイレクト選局キー１５０ｃからの指示を受信したと判別した場合（ステップＳ１８のＹｅｓ）、チャンネル切替制御部４０は、指示されたチャンネルを録画しているか否かを判別する（ステップＳ１９）。
【００９３】
ステップＳ１９で判別した結果、指示されたチャンネルを録画していないと判別した場合（ステップＳ１９のＮｏ）、指示されたチャンネルに切替できない旨のワーニング表示を行う（ステップＳ２０）。一方、指示されたチャンネルを録画していると判別した場合８ステップＳ１９のＹｅｓ）、指示チャンネルの再生開始位置を取得する（ステップＳ２１）。即ち、第２の録画方法により同時録画しているチャンネルの内で、ダイレクト選局キー１５０ｃにて指示されたチャンネルの同時刻に記録されている時刻情報を探索し、この時刻情報に対応するアドレスを取得して再生開始位置を取得する。そして、ステップＳ１２に戻る。この取得した再生位置からデータを読み出すことで、チャンネルの切替が実行される。
【００９４】
尚、本実施の形態においては、時刻情報テーブル４２から時刻情報を取得するとしたが、これに限定されることはない。即ち、ＴＳ４３に含まれるＴＯＴを参照して、時刻情報を取得するとしても良い。
【００９５】
図９は、本実施の形態におけるチャンネル切替制御部４０が実行する第１の再生方法による処理手順のフローチャートを示す図である。この図９を用いて、第１の再生方法による再生中におけるチャンネル切替が行われるまでの処理手順について説明する。
【００９６】
まず、録画再生制御部２２は、第１の記録領域１７１から、録画リストから選択された番組のチャンネル及び開始時刻に対応するアドレスを探索し、再生開始位置を取得する（ステップＳ２１）。次に、この取得した再生開始位置のＴＳ４１を第１の記録領域１７１から読み出す（ステップＳ２２）。録画再生制御部２２は、ステップＳ２２で読み出したＴＳ４１を再生して音声処理部１５及び映像処理部１６に送出することで番組を再生する（ステップＳ２３）。
【００９７】
次に、チャンネル切替制御部４０は、チャンネルアップダウンキー１５０ｅからの指示を受信したか否かを判別する（ステップＳ２４）。ステップＳ２４で判別した結果、チャンネルアップダウンキー１５０ｅからの指示を受信したと判別した場合（ステップＳ２４のＹｅｓ）、再生を開始する直前に視聴していたチャンネルの現在の放送に切り替える（ステップＳ２５）。又は、再生を開始する直前に視聴していたチャンネルの前後のチャンネルの現在の放送に切り替えるとしても良い。
【００９８】
ステップＳ２４で判別した結果、チャンネルアップダウンキー１５０ｅからの指示を受信していないと判別した場合（ステップＳ２４のＮｏ）、チャンネル切替制御部４０はダイレクト選局キー１５０ｃからの指示を受信したか否かを判別する（ステップＳ２６）。ステップＳ２６で判別した結果、ダイレクト選局キー１５０ｃからの指示を受信していないと判別した場合（ステップＳ１８のＮｏ）、この処理手順を終了する。一方、ダイレクト選局キー１５０ｃからの指示を受信したと判別した場合（ステップＳ２６のＹｅｓ）、チャンネル切替制御部４０は、指示されたチャンネルの現在の放送に切り替える（ステップＳ２７）。以上で、第１の再生方法による再生中におけるチャンネル切替動作を終了する。
【００９９】
過去番組表生成部５０は、第２の記録領域１７２に格納されているＴＳ４３に含まれるＥＰＧ情報に基づいて、過去番組表４４を生成するための信号を生成する。過去番組表生成部５０が行う過去番組表４４の生成処理手順について図１０を用いて説明する。
【０１００】
図１０は、本実施の形態における過去番組表生成部５０が実行する第２の再生方法による再生開始時の過去番組表４４の表示手順のフローチャートを示す図である。
まず、過去番組表生成部５０は、タイムシフトキー１５０ｋによる指示を受信したか否かを判別する（ステップＳ３１）。ステップＳ３１で判別した結果、タイムシフトキー１５０ｋによる指示を受信していないと判別した場合（ステップＳ３１のＮｏ）、ステップＳ３１に戻る。
【０１０１】
一方、ステップＳ３１で判別した結果、タイムシフトキー１５０ｋによる指示を受信したと判別した場合（ステップＳ３１のＹｅｓ）、次に過去番組表生成部５０は、信号処理部１２から現在視聴しているチャンネルのチャンネル情報を取得する（ステップＳ３２）。
【０１０２】
次に、過去番組表生成部５０は、第２の録画方法で録画されているチャンネルのＴＳ４３からＥＰＧ情報を取得する（ステップＳ３３）。即ち、第２の記録領域１７２に格納されているＴＳ４３から、ＥＰＧ情報を取得する。
【０１０３】
次に、過去番組表生成部５０は、ステップＳ３３で取得したチャンネル情報に基づいて、テーブル４６を生成する（ステップＳ３４）。即ち、縦軸に録画時刻表示４７、横軸にチャンネル表示４８として、各欄に番組情報を表示したテーブル４６を生成する。
【０１０４】
次に、過去番組表生成部５０は、現在視聴しているチャンネルが第２の録画方法により録画を行ったチャンネルであるか否かを判別する（ステップＳ３５）。ステップＳ３５で判別した結果、第２の録画方法により録画を行ったチャンネルではないと判別した場合（ステップＳ３５のＮｏ）、フォーカス４５の位置を第２の録画方法により録画しているチャンネルの内で、最もチャンネル番号が小さいチャンネルの最新の録画番組として決定する（ステップＳ３６）。過去番組表４４におけるチャンネル表示４８は、チャンネル番号順に表示されるので、ステップＳ３６にて決定されるフォーカス４５の位置はテーブル４６の端部となる。
【０１０５】
一方、ステップＳ３５で判別した結果、第２の録画方法により録画を行ったチャンネルであると判別した場合（ステップＳ３５のＹｅｓ）、フォーカスの位置を視聴しているチャンネルの最新の録画番組として決定する（ステップＳ３７）。
【０１０６】
次に、過去番組表生成部５０は、ステップＳ３４で決定したテーブル４６と、ステップＳ３６又はステップＳ３７で決定したフォーカス４５とを重ね合わせた過去番組表４４を表示する（ステップＳ３８）。
【０１０７】
次に、過去番組表生成部５０は、過去番組表４４中から再生番組の指定がされたか否かを判別する（ステップＳ３９）。即ち、フォーカス４５を所望の録画番組上に移動させ、決定キー１５０ｇが押下されたか否かを判別する。
【０１０８】
ステップＳ３９で判別した結果、再生番組の指定がされていないと判別した場合（ステップＳ３９のＮｏ）、ステップＳ３９に戻る。一方、ステップＳ３９で判別した結果、再生番組の指定がされたと判別した場合（ステップＳ３９のＹｅｓ）、指定された録画番組の再生を開始する。そして図１１に示すステップＳ４１に進む。
【０１０９】
次に、図１１を用いて第２の再生方法により再生している場合に、番組表キー１５０ｌが押下された場合の過去番組表４４の表示手順について説明する。図１１は、本実施の形態における過去番組表生成部５０が実行する第２の再生方法による再生中の過去番組表４４の表示手順のフローチャートを示す図である。
【０１１０】
まず、過去番組表生成部５０は番組表キー１５０ｌによる指示を受信したか否かを判別する（ステップＳ４１）。ステップＳ４１で判別した結果、番組表キー１５０ｌによる指示を受信していないと判別した場合（ステップＳ４１のＮｏ）、ステップＳ４１に戻る。一方、番組表キー１５０ｌによる指示を受信したと判別した場合（ステップＳ４１のＹｅｓ）、過去番組表生成部５０は録画再生制御部２２にて再生しているＴＳ４３の再生位置を取得する（ステップＳ４２）。
【０１１１】
次に、過去番組表生成部５０はフォーカス４５の位置をステップＳ４２にて取得した再生位置に対応した位置として決定する（ステップＳ４３）。次に、過去番組表生成部５０は、テーブル４６とステップＳ４３で決定したフォーカス４５とを重ね合わせた過去番組表４４を表示する（ステップＳ４４）。
【０１１２】
次に、過去番組表生成部５０は、ステップＳ４４で表示した過去番組表４４中から再生番組の指定がされたか否かを判別する（ステップＳ４５）。ステップＳ４５で判別した結果、再生番組の指定がされたと判別した場合（ステップＳ４５のＹｅｓ）、上述したステップＳ４０に戻る。一方、ステップＳ４５で判別した結果、再生番組の指定がされていないと判別した場合（ステップＳ４５のＮｏ）、次に過去番組表生成部５０は、過去番組表４４の表示終了の指示を受信したか否かを判別する（ステップＳ４６）。過去番組表４４の表示終了の指示とは、例えば番組表キー１５０ｌを再度押下することで実行されるとする。
【０１１３】
ステップＳ４６で判別した結果、過去番組表４４の表示終了の指示を受信していないと判別した場合（ステップＳ４６のＮｏ）、ステップＳ４６に戻る。一方、ステップＳ４６で判別した結果、過去番組表４４の表示終了の指示を受信したと判別した場合（ステップＳ４６のＹｅｓ）、再生していた番組の表示に戻る（ステップＳ４７）。即ち、ステップＳ４２で取得した再生位置から再生を再開する。
【０１１４】
次に、過去番組表生成部５０は、第２の再生方法による再生の終了指示を受信したか否かを判別する（ステップＳ４８）。ステップＳ４８で判別した結果、再生の終了指示を受信していないと判別した場合（ステップＳ４８のＮｏ）、ステップＳ４８に戻る。一方、ステップＳ４８で判別した結果、再生の終了指示を受信したと判別した場合（ステップＳ４８のＹｅｓ）、第２の再生方法による再生を終了する。再生の終了指示とは、例えば、タイムシフトキー１５０ｋや停止ボタン等でタイムシフトモードから抜けることを指示するものである。以上で、過去番組表生成部５０が実行する第２の再生方法による再生中の過去番組表４４の表示手順を終了する。
【０１１５】
尚、タイムシフトキー１５０ｋを押下することで、再びタイムシフトモードに入る場合には、上述した図１０のステップＳ３１に戻る。
以上のように構成される本実施の形態によれば、第２の再生方法による再生を行っているときに、過去番組表４４中で再生を行っている番組をより的確に表示することができる。
【０１１６】
第２の録画方法により、複数のチャンネルを長時間に亘り録画している場合にも、過去番組表４４中で再生を行っている番組を、フォーカス４５を用いて明確に示すことができる。
【０１１７】
また、複数のチャンネルを同時に録画している場合、再生している時刻と同じ時刻に記録している他のチャンネルに切り替えることで、過去に遡ってリアルタイムで放送を視聴しているように、チャンネルを切り替えて番組を視聴することが可能になる。これにより、従来とは別の視点の録画番組の再生が実現し、増大した録画番組の中から視聴する番組を探索する新たな手法を提供することができる。この場合にも本実施の形態における過去番組表生成部５０による過去番組表４４を表示することで、どのチャンネルに遷移したかを容易に把握することができる。
【０１１８】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【０１１９】
１…アンテナ、２…入力端子、３…チューナ、１１…ＴＳ処理部、１２…信号処理部、１３…グラフィック処理部、１４…ＯＳＤ信号生成部、１５…音声処理部、１６…映像処理部、１７…ＨＤＤ、１８…制御部、１９…ＲＯＭ、２０…ＲＡＭ、２１…不揮発性メモリ、２２…録画再生制御部、２３…操作部、２４…受信部、２５…第１のカードＩ／Ｆ、２６…第１のカードホルダ、２７…第１のカード、２８…第２のカードＩ／Ｆ、２９…第２のカードホルダ、３０…第２のカード、３１…明るさセンサ、３２…通信Ｉ／Ｆ、３３…ＬＡＮ端子、３４…ＵＳＢ…Ｉ／Ｆ、３５…ＵＳＢ端子、３６…ｉ．ＬＩＮＫ…Ｉ／Ｆ、３７…ｉ．ＬＩＮＫ端子、３８…ＨＤＭＩ…Ｉ／Ｆ、３９…ＨＤＭＩ端子、４０…チャンネル切替制御部、４１…ＴＳ、４２…時刻情報テーブル、４３…ＴＳ、４４…過去番組表、４５…フォーカス、４６…テーブル、４７…録画時刻表示、４８…チャンネル表示、４９…再生時刻表示、５０…過去番組表生成部、１００…テレビジョン放送受信装置、１１０…キャビネット、１２０…支持台、１３０…映像表示部、１４０…スピーカ、１５０…リモートコントローラ、１５０ａ…電源キー、１５０ｂ…放送切替キー、１５０ｃ…ダイレクト選局キー、１５０ｄ…音量調節キー、１５０ｅ…チャンネルアップダウンキー、１５０ｆ…フォーカスキー、１５０ｇ…決定キー、１５０ｈ…カラーキー、１５０ｉ…特殊再生キー、１５０ｊ…画面表示キー、１５０ｋ…タイムシフトキー、１５０ｌ…番組表キー、１７１…第１の記録領域、１７２…第２の記録領域。
【図１】
2011071586.tif 000003
【図２】
2011071586.tif 000004
【図３】
2011071586.tif 000005
【図４】
2011071586.tif 000006
【図５】
2011071586.tif 000007
【図６】
2011071586.tif 000008
【図７】
2011071586.tif 000009
【図８】
2011071586.tif 000010
【図９】
2011071586.tif 000011
【図１０】
2011071586.tif 000012
【図１１】
2011071586.tif 000013
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
チャンネルごとに放送されている番組を受信する放送受信部と、
前記番組に対応するＥＰＧ情報を受信するＥＰＧ受信部と、
前記番組を前記ＥＰＧ情報と共に記録媒体に記録し、この記録媒体に記録した番組およびＥＰＧ情報の再生を行う記録再生制御部と、
前記記録再生制御部により再生されたＥＰＧ情報に基づき前記記録媒体に記録した番組について、前記番組が放送された時刻とチャンネルとを軸とする番組表を生成する番組表生成部と、
前記番組表の中から再生する番組の指定を受ける指定受手段と、
を有し、
前記記録再生制御部は、
前記指定受手段によって指定を受けた番組から再生を開始し、この指定された番組が放送されるチャンネルで記録されている番組を記録した順に続けて再生し、
前記番組表生成部は、
前記記録再生制御部が前記番組を再生しているときに前記記録媒体に記録した番組についての番組表を表示する指示を受信したとき、前記再生している番組にフォーカスをあてた番組表を生成することを特徴とする電子機器。
【請求項２】
前記記録再生制御部は、複数のチャンネルの番組を対応するＥＰＧ情報と共に記録媒体に記録し、
更に前記放送受信部で受信される複数のチャンネル間で受信した切替指示に従ったチャンネルに切り替えるチャンネル切替制御部とを備え、
前記番組表生成部は、前記チャンネル切替制御部によりチャンネルが切り替えられた後に前記番組表を表示するときには、前記切り替えられた後のチャンネルにて再生する番組に対応する欄にフォーカスをあてた番組表を生成することを特徴とする請求項１に記載の電子機器。
【請求項３】
前記番組表生成部は、前記放送受信部が受信している番組を視聴中に前記記録媒体に記録した番組についての番組表を表示する指示を受信した場合、記録時刻が最新の記録済みの番組から順に示す番組表を生成することを特徴とする請求項２に記載の電子機器。
【請求項４】
更に、前記記録再生制御部により再生される番組を表示する表示装置を備えることを特徴とする請求項１乃至請求項３のいずれか１項に記載の電子機器。
【請求項５】
チャンネルの映像信号を受信し、
前記受信したチャンネルの番組を記録し、
前記チャンネルの番組に対応するＥＰＧ情報を受信し、
前記ＥＰＧ情報に基づき前記記録媒体に記録した番組について、前記番組が放送された時刻とチャンネルとを軸とする番組表を生成し、
前記番組表の中から再生する番組の指定を受け、
前記指定を受けた番組から再生を開始し、この指定された番組が放送されるチャンネルで記録されている番組を記録した順に続けて再生し、
前記再生中に前記番組表を表示する指示を受信した場合、再生している番組に対応する番組の欄に、フォーカスをあてた番組表を生成することを特徴とする番組表表示方法。